(57)【要約】【課題】平面視の大きな宝石類であっても、安全に且つ確りと人工爪へ取り付けることができるようにする。【解決手段】下端またはその近傍での外径が最も大きい形状の宝石類(５)を、人工爪(３)の表面のうち装着部位(４)に接着剤(６)を介して固定する。その取付方法は装着部位(４)に溶剤(８)を塗布して表面を軟化若しくは溶解したのち接着剤(６)を塗布し、宝石類(５)を装着する。これにより宝石類(５)が溶剤で軟化・溶解した装着部位(４)と接着剤(６)とを介して人工爪(３)に固着される。宝石類(５)の下面には、予め反射部材(10)からなる着色部材(９)を貼付しておく。【選択図】図３
2011130931.tif 000002
【特許請求の範囲】
【請求項１】
人工爪(３)の表面のうちの所定の装着部位(４)に宝石類(５)を固定する、人工爪への宝石類の取付方法であって、
上記の宝石類(５)は、下端またはその近傍での外径が最も大きい形状であることを特徴とする、人工爪への宝石類の取付方法。
【請求項２】
上記の宝石類(５)は、下端が最も大きい外径を有する底面に形成されている、請求項１に記載の人工爪への宝石類の取付方法。
【請求項３】
上記の装着部位(４)に溶剤(８)を塗布してその表面を軟化若しくは溶解し、この軟化・溶解した表面を介して上記の装着部位(４)に上記の宝石類(５)を固定する、請求項１または請求項２に記載の人工爪への宝石類の取付方法。
【請求項４】
上記の装着部位(４)と上記の宝石類(５)との間に接着剤(６)を配置し、この接着剤(６)を介して上記の装着部位(４)に上記の宝石類(５)を固定する、請求項１から３のいずれか１項に記載の人工爪への宝石類の取付方法。
【請求項５】
上記の宝石類(５)の下端寄り周面に係止用凹部(７)を形成し、この係止用凹部(７)を上記の接着剤(６)に埋入させる、請求項４に記載の人工爪への宝石類の取付方法。
【請求項６】
上記の宝石類(５)の下端寄り周面に係止用凹部(７)を形成し、この係止用凹部(７)を上記の軟化・溶解した装着部位(４)に埋入させる、請求項３に記載の人工爪への宝石類の取付方法。
【請求項７】
上記の宝石類(５)の下面と上記の装着部位(４)との間に、着色部材(９)を配置する、請求項１から６のいずれか１項に記載の人工爪への宝石類の取付方法。
【請求項８】
上記の宝石類(５)の下面と上記の装着部位(４)との間に、入射光を効率よく反射する反射部材(10)を配置する、請求項１から７のいずれか１項に記載の人工爪への宝石類の取付方法。
【請求項９】
複数の宝石類(５)からなる宝石類群を１組として、この宝石類群に直径が２ｍｍ以上の宝石類(５)を４個以上含ませ、これらの各宝石類(５)を上記の請求項１から８のいずれかに記載の取付方法により複数の人工爪(３)に分散して取り付け、所定の期日が経過したのちこれらの宝石類(５)を各人工爪(３)から取り外して回収し、それぞれの宝石類(５)をアクセサリーに再加工することを特徴とする、宝石類の利用方法。
【請求項１０】
所定の装着部位(４)に宝石類(５)が固定された人工爪であって、下端またはその近傍での外径が最も大きい形状の宝石類(５)を、上記の装着部位(４)の表面に固定したことを特徴とする、宝石類で装飾した人工爪。
【請求項１１】
上記の宝石類(５)は、下端が最も大きい外径を有する底面に形成してある、請求項１０に記載の宝石類で装飾した人工爪。
【請求項１２】
上記の宝石類(５)が、溶剤(８)により軟化若しくは溶解した装着部位(４)の表面を介して上記の人工爪(３)に固定してある、請求項１０または請求項１１に記載の宝石類で装飾した人工爪。
【請求項１３】
上記の宝石類(５)を上記の装着部位(４)に接着剤(６)を介して固定してある、請求項１０から１２のいずれか１項に記載の宝石類で装飾した人工爪。
【請求項１４】
上記の宝石類(５)は下端寄り周面に係止用凹部(７)が形成してあり、上記の接着剤(６)にこの係止用凹部(７)が埋入してある、請求項１３に記載の宝石類で装飾した人工爪。
【請求項１５】
上記の宝石類(５)は下端寄り周面に係止用凹部(７)が形成してあり、上記の溶剤(８)により軟化・溶解した装着部位(４)にこの係止用凹部(７)が埋入してある、請求項１２に記載の宝石類で装飾した人工爪。
【請求項１６】
上記の宝石類(５)と装着部位(４)との間に着色部材(９)が配置してある、請求項１０から１５のいずれか１項に記載の宝石類で装飾した人工爪。
【請求項１７】
上記の宝石類(５)と装着部位(４)との間に、入射光を効率よく反射する反射部材(10)が配置してある、請求項１０から１６のいずれか１項に記載の宝石類で装飾した人工爪。
【請求項１８】
上記の請求項１から８のいずれか１項に記載の方法で１または２以上の宝石類(５)を取り付けたことを特徴とする、宝石類で装飾した人工爪。
【請求項１９】
上記の宝石類(５)の少なくとも１つが、直径が２ｍｍ以上の大きさである、請求項１０から１８のいずれか１項に記載の宝石類で装飾した人工爪。
【発明の詳細な説明】
【技術分野】
【０００１】
本発明はネイルアートにおいて、スカルプチュアネイルなどの人工爪にダイヤモンド等の宝石類を固定する取付方法とその宝石類を取り付けた人工爪に関し、平面視の大きな宝石類であっても安全に且つ確りと取り付けることができる、人工爪への宝石類の取付方法および宝石類を取り付けた人工爪に関する。
【背景技術】
【０００２】
近年、爪に装飾を施す、いわゆるネイルアートが盛んに行われている。このネイルアートには、自爪の表面に人工爪を形成して、その人工爪の表面に彩色を施したり、シールの図柄を転写したりするほか、ストーンやビーズ等の立体物をその人工爪の表面に固定する場合もある。これらの人工爪としては、あらかじめ所定の形状に形成したネイルチップを自爪に貼り付ける場合や、自爪の表面に液状のアクリル樹脂などを塗り付けて硬化させることによりスカルプチュアネイルを形成する場合などがある。
【０００３】
従来、爪先を一層華やかに装飾するため、ダイヤモンドなどの宝石類を上記の人工爪の表面に固定させることが提案されている(例えば、特許文献１参照)。この従来技術では、付け爪に装着用穴を透設したり、自爪の表面に形成した厚み調整層に装着用穴を形成したりして、この装着用穴に宝石類の下部(パビリオン)の全体を収容し、この装着用穴内に充填した接着剤でその宝石類を固定している。
【先行技術文献】
【特許文献】
【０００４】
【特許文献１】特開２００６−１９８０９８号公報
【発明の概要】
【発明が解決しようとする課題】
【０００５】
ダイヤモンドなどの宝石類は、例えばブリリアンカットの場合、パビリオンの高さが宝石類の平面視での直径の半分近くある。このため上記の従来技術では、パビリオンの全体を上記の装着用穴内に収容することから、肉厚の薄い人工爪には、平面視の直径やカラット数の大きな宝石類を装着することが容易でない。例えば自爪の表面にスカルプチュアネイルを形成する場合、その厚みは１ｍｍ程度以下と薄いため、下方の自爪を傷付けずに１ｍｍよりも深い装着用穴を形成することができず、しかも、爪は左右が下方に湾曲しているため、周縁部に対する中央部の深さは、中央部での厚さよりも浅い寸法となる。この結果、例えば平面視で直径が２ｍｍ以上の宝石類はパビリオンの高さが１ｍｍ以上となるので、その宝石類のパビリオンを上記の装着穴内へ収容することができず、これよりも小さな宝石類しか人工爪に装着できない問題がある。
【０００６】
また、上記の大きな宝石類を装着するため、上記の装着用穴にパビリオンの一部のみを収容して接着剤で固定することが考えられる。しかしこの場合、装着穴内面と宝石類との接着面積が小さいため、宝石類の大きさに応じた高い接着力を得ることができず、宝石類が人工爪から不用意に外れてしまう虞がある。
【０００７】
本発明の技術的課題は上記の問題点を解消し、平面視の大きな宝石類であっても安全に且つ確りと取り付けることができる、人工爪への宝石類の取付方法および宝石類を取り付けた人工爪を提供することにある。
【課題を解決するための手段】
【０００８】
本発明は上記の課題を解決するために、例えば、本発明の実施の形態を示す図１から図７に基づいて説明すると、次のように構成したものである。
即ち、本発明１は人工爪への宝石類の取付方法に関し、人工爪(３)の表面のうちの所定の装着部位(４)に宝石類(５)を固定する、人工爪への宝石類の取付方法であって、上記の宝石類(５)は、下端またはその近傍での外径が最も大きい形状であることを特徴とする。
また、本発明２は宝石類で装飾した人工爪に関し、所定の装着部位(４)に宝石類(５)が固定された人工爪であって、下端またはその近傍での外径が最も大きい形状の宝石類(５)を、上記の装着部位(４)の表面に固定したことを特徴とする。
【０００９】
上記の宝石類とは、ダイヤモンドやルビー、サファイアなどの天然宝石のほか、人工宝石や模造宝石を含み、さらには装飾用に加工された天然石などをも含む。これらの宝石類は、下端またはその近傍での外径が最も大きい形状であればよく、特定のカット形状や大きさ、色彩などに限定されない。ここで、上記の下端の近傍とは、宝石類の大きさによっても異なるが、下端から１ｍｍ程度の高さ以内、または宝石類の全高の１/２程度の高さ以内をいう。
【００１０】
上記の宝石類の外径が最も大きい最大外径部は、底面から僅かに上方へ偏移した位置に形成してもよい。しかしこの宝石類は、下端が最も大きい外径を有する底面に形成されていると、人工爪の表面に形成された装着部位へ容易に安定良く載置して固定できるので、好ましい。
【００１１】
上記の宝石類を人工爪の装着部位に取り付ける方法は、宝石類を確りと装着部位へ固定できればよく、特定の取付方法に限定されない。例えば、上記の装着部位に溶剤を塗布してその表面を軟化若しくは溶解し、この軟化・溶解した表面を介して上記の装着部位に上記の宝石類を固定してもよく、或いは、上記の装着部位と上記の宝石類との間に接着剤を配置し、この接着剤を介して上記の装着部位に上記の宝石類を固定してもよく、いずれも宝石類を装着部位の表面に確りと固定できて好ましい。特に、上記の装着部位に溶剤を塗布したのちこの装着部位と上記の宝石類との間に接着剤を配置すると、その装着部位の表面がその溶剤により溶解若しくは軟化し、滑らかになるうえ、この接着剤が軟化・溶解した装着部位の表面と良好に接着でき、一層強力に宝石類を装着部位の表面に固定できてより好ましい。
【００１２】
また上記の宝石類は、下端寄り周面に係止用凹部を形成して、この係止用凹部を上記の接着剤や軟化・溶解した装着部位に埋入してあると、この凹部により接着面積が拡がることと相俟って、固化した接着剤や装着部位がこの係止部に食い込むことで、宝石類を装着部位へ簡単に且つ確りと固定でき、好ましい。
【００１３】
上記の装着部位の表面は、無加工の状態で上記の宝石類を固定してもよいが、上記の溶剤の塗布により軟化・溶解した部分を穿って凹部を形成したり、切削若しくは研削して粗面化したりしてもよい。このような加工を施したのち、上記の接着剤を上記の宝石類との間に配置して宝石類を固定すると、装着部位の溶解・軟化した表面や粗面化した表面と接着剤とが強力に接着できて好ましい。この場合、宝石類は下端またはその近傍での外径が最も大きい形状であるので、上記の装着部位を穿る際や切削若しくは研削する際に、例えば１ｍｍを越えるような過剰に深い凹部を形成する必要がない。この結果、人工爪の下方に位置する自爪を傷つけることがなく、安全に加工することができる。
【００１４】
上記の溶剤は、上記の人工爪の表面を軟化若しくは溶解できるものであればよく、人工爪の材料によっても異なり、特定のものに限定されない。例えば人工爪がアクリル樹脂からなる場合は、アセトンやクロロホルムなどの有機溶剤が用いられる。
一方、上記の接着剤は、例えば、２液混合型エポキシ樹脂系接着剤などが好ましく用いられるが、上記の宝石類を装着部位へ確りと固定できるものであればよく、特定の材質に限定されない。これらの接着剤を用いて宝石類を装着部位へ固定する際には、装着部位の表面と宝石類の下面とのいずれか一方または両方に接着剤が塗布される。
【００１５】
上記の宝石類は、下端またはその近傍での外径が最も大きいので、この宝石類が、例えばダイヤモンドのように無色である場合や、薄く着色された透明である場合には、上記の宝石類の下面と上記の装着部位との間に着色部材を配置すると、この着色部材の色が宝石類を通して良好に観察される。この結果、あたかもその宝石が着色されたように見え、この宝石類を介して指先を華やかに飾ることができるので好ましい。この場合、上記の着色部材とは、上記の溶剤や接着剤に着色料を含ませて構成してもよいが、薄肉の着色シートなどを用いると、宝石類を所望の色調に簡単に着色できるうえ、宝石類の周囲を固定する接着剤は透明材料を用いることができるので好ましい。
【００１６】
また、宝石類は周囲からの入射光を屈折・反射させることで特有の輝きや煌めきを生じるが、上記の装着部位に固定された宝石類は、下面が人工爪の表面で覆われた状態となっているため、宝石類の輝きが弱まる虞がある。しかしこの宝石類の下面と上記の装着部位との間に、入射光を効率よく反射する反射部材を配置すると、宝石類の上方から入る光を反射させて、宝石類の輝きや煌めきを良好にでき、好ましい。
【００１７】
上記の宝石類は、特定の大きさに限定されず、宝石の輝きや煌めき、見栄え等の観点から、平面視で直径２ｍｍ以上の大きさを含むと好ましく、直径２.５ｍｍ以上であるとさらに好ましい。ここで、本発明にいう上記の平面視での直径とは、正面や側面から見て最大幅の寸法をいい、宝石類は平面視で円形またはこれに近似した多角形のものに限定されない。
【００１８】
これらの宝石類は、人工爪を自爪から取り外す際や人工爪の装飾品として用いなくなった場合に、この人工爪から容易に回収して再利用することができる。特に、複数の宝石類からなる宝石類群を１組として、この宝石類群に平面視で直径２ｍｍ以上の宝石類を４個以上含ませて、これらの各宝石類を上記の取付方法により複数の人工爪に分散して取り付けた場合には、例えば１週間後など、自爪が伸びて人工爪を取り外す必要ができた所定期日経過後に、これらの宝石類を各人工爪から取り外して回収すると、それぞれの宝石類を指輪やピアス、イヤリング、ペンダント、ネックレス、ブローチ、ブレスレット、タイピン、カフスなど、他のアクセサリーに容易に再加工できて好ましい。なお、この場合の平面視での直径も、前記と同様、正面や側面から見て最大幅の寸法をいい、宝石類は平面視で円形またはこれに近似した多角形のものに限定されず、この寸法は２.５ｍｍ以上であるとさらに好ましい。
【発明の効果】
【００１９】
本発明は上記のように構成され作用することから、次の効果を奏する。
【００２０】
(１)宝石類は、下端またはその近傍での外径が最も大きい形状であるので、この最大外径部よりも下方部分が無いか、あってもその高さが僅かであり、前記の従来技術と異なってこの宝石類を装着するための穴を深く形成する必要がない。この結果、平面視の大きな宝石類であっても、人工爪へ装着する際にその人工爪の厚み等に制限されることがなく、下方に位置する自爪を傷つけることなく安全に取り付けることができる。
【００２１】
(２)宝石類は、下端またはその近傍での外径が最も大きい形状であるので、この宝石類の下端近傍を装着部位へ固定する際に、その最大外径部を上記の軟化・溶解した装着部位や接着剤で容易に取り囲むことができる。この結果、平面視の大きな宝石類であってもその外観を大きく損なうことなく、装着部位へ簡単に且つ確りと固定することができる。
【図面の簡単な説明】
【００２２】
【図１】本発明の第１実施形態を示す、宝石類を取り付けた人工爪の断面図である。
【図２】第１実施形態の、要部の拡大断面図である。
【図３】第１実施形態の、宝石類の取付方法の概略工程を示し、図３(ａ)は貼付工程での宝石類の正面図、図３(ｂ)は粗面化工程での人工爪の断面図、図３(ｃ)は溶剤塗布工程での人工爪の断面図、図３(ｄ)は接着剤塗布工程での人工爪の断面図、図３(ｅ)は固着工程での人工爪の断面図である。
【図４】本発明の第２実施形態を示す、宝石類を取り付けた人工爪の断面図である。
【図５】本発明の第３実施形態を示す、宝石類を取り付けた人工爪の断面図である。
【図６】第３実施形態の、宝石類の取付方法の概略工程を示し、図６(ａ)は溶剤塗布工程での人工爪の断面図、図６(ｂ)は固着工程での人工爪の断面図である。
【図７】本発明の第４実施形態を示す、宝石類を取り付けた人工爪の断面図である。
【発明を実施するための形態】
【００２３】
以下、本発明の実施の形態を図面に基づき説明する。
図１に示すように、指先(１)の自爪(２)の表面には、液状のアクリル樹脂を塗り付けてこれを硬化させることにより、人工爪であるスカルプチュアネイル(３)が形成してある。なお、上記のアクリル樹脂は反応により硬化させるものであってもよく、或いは紫外線を用いて硬化させるものであってもよい。またこの実施形態ではアクリル樹脂を硬化させて人工爪を形成したが、本発明で用いる人工爪は合成樹脂等で別途形成したネイルチップであってもよい。
【００２４】
上記のスカルプチュアネイル(３)の表面には、所定の装着部位(４)に宝石類(５)が接着剤(６)を介して固定してある。この宝石類(５)は、ダイヤモンドなどの天然宝石のほか、人工宝石や模造宝石等であってもよい。そのサイズは、例えば平面視で直径が、即ち、正面視または側面視での最大幅が２ｍｍ以上、好ましくは２.５ｍｍ以上の大きさがあり、具体的には、例えば平面視で直径が５ｍｍのダイヤモンドが用いられる。
【００２５】
上記の宝石類(５)は、下端またはその近傍での外径が最も大きい形状に形成してあり、例えばブリリアンカットのパビリオンを省略した形状にカットしてある。なお、この実施形態では、宝石類(５)の下端が最も大きい外径を有する底面に形成されているが、本発明ではこの宝石類(５)の最大外径部と下端との間に、１ｍｍ程度以内の高さ、または宝石類の全高の１/２程度以内の高さがあってもよい。また、この実施形態では宝石類の輝きや煌めきなどを良好にするため上記の大きさのものを用いたが、本発明ではこれよりも小さな宝石類を用いてもよく、さらには、１つのスカルプチュアネイル(３)の表面に複数の宝石類(５)を保持したものであってもよい。
【００２６】
図１と図２に示すように、上記の宝石類(５)の周面には、下端寄り位置に溝状の係止用凹部(７)が形成してあり、この係止用凹部(７)を上記の接着剤(６)に埋入させてある。即ち、固化された接着剤(６)がこの係止用凹部(７)に食い込んだ状態となっている。宝石類(５)は接着剤(６)により、広い面積の底面で接着していること、最大外径部が接着剤(６)に包み込まれていること、および係止用凹部(７)により接着面積が拡がったことと相俟って、接着剤(６)がこの係止用凹部(７)へ食い込むことにより、スカルプチュアネイル(３)の装着部位(４)へ簡単に且つ確りと固定されている。
【００２７】
上記の装着部位(４)は、スカルプチュアネイル(３)の表面を切削若しくは研削して、浅い凹部を形成することで粗面化してある。この粗面化した装着部位(４)は、平面視で上記の宝石類(５)と同じ形状、若しくはその形状を含むやや広さに形成してある。図２に示すように、その粗面化した装着部位(４)の表面は、溶剤(８)が塗布されて軟化してあり、その軟化した表面に、宝石類(５)が上記の接着剤(６)で固定してある。この接着剤(６)には、例えば硬化時に透明である２液混合型エポキシ樹脂系接着剤などが用いてある。このため、この接着剤(６)で上記の宝石類(５)の周縁部が包み込まれても、宝石類(５)はその周縁部まで外部から目視することができる。
【００２８】
図２に示すように、上記の宝石類(５)の底面と上記の装着部位(４)との間には、所定の色彩に着色された薄肉の着色シート(９)が配置してある。このため、周囲からはこの宝石類(５)が、上記の色彩を備えているように見える。この場合、この着色シート(９)には、入射光を効率よく反射する反射部材(10)を用いると、上記の宝石類(５)の輝きや煌めきが良好となり、さらに好ましい。
【００２９】
次に、上記の宝石類の取付方法について、図１から図３に基づき説明する。
予め装着者の指先(１)には、既知の手順でスカルプチュアネイル(３)を形成しておく。即ち、自爪(２)の表面を拭って油脂成分を除去し、硬化剤を混合した液状のアクリル樹脂をこの自爪(２)の表面に塗布する。そしてこのアクリル樹脂が硬化したのち、その表面が滑らかとなるようにやすり等で研磨し、生じた粉末をエタノール等で払拭することで、上記の指先(１)にスカルプチュアネイル(３)を形成する。
【００３０】
一方、宝石類(５)には、図３(ａ)に示す貼付工程(S1)で、その宝石類(５)の底面と略同じ形状で厚みの薄い着色シート(９)が、この宝石類(５)の下面に確りと糊付けされる。
【００３１】
次に、図３(ｂ)に示す粗面化工程(S2)で、上記のスカルプチュアネイル(３)の表面のうち、宝石類(５)を装着する装着部位(４)の表面を、電動工具やエアー工具などの切削機器(11)で研削して粗面化する。この粗面化により、装着部位(４)には宝石類(５)の底面より僅かに広い面積の凹部が形成されるが、この凹部は、例えば１ｍｍ未満の極めて浅い形状に形成される。装着部位(４)に形成されるこの凹部が過剰に深く形成されないように、上記の切削機器(11)は、研削用アタッチメント(12)の先端を、例えば０.５ｍｍなど、スカルプチュアネイル(３)の厚さよりも短い所定寸法で、保護カバー(13)の先端から突出させてある。従って、上記のアタッチメント(12)でスカルプチュアネイル(３)を過剰に研削することがなく、自爪(２)の表面を損傷する虞がない。
【００３２】
次に、上記の研削により生じた粉末を除去したのち、図３(ｃ)に示す溶剤塗布工程(S3)でその装着部位(４)の表面に、アセトンやクロロホルムなど、上記のアクリル樹脂が溶ける溶剤(８)を塗布し、装着部位(４)の表面を溶解若しくは軟化させて滑らかにする。上記の研削により生じた粉末は、この溶剤(８)を用いて除去してもよい。
【００３３】
次いで、図３(ｄ)に示す接着剤塗布工程(S4)で、２液混合型エポキシ樹脂系接着剤(６)を上記の装着部位(４)に塗布する。そしてこの接着剤(６)が硬化する前に、図３(ｅ)に示す固着工程(S5)で、図示しないストーンキャッチャーなどを用いて上記の宝石類(５)を装着部位(４)に取り付け、確りと固定されるように押圧する。これにより接着剤(６)は宝石類(５)の最大外径部の外周部を包み込み、一部が上記の係止用凹部(７)内へ入り込む。なお、上記の押圧により装着部位(４)の周囲に溢れ出た接着剤(６)は、必要に応じて上記の溶剤(８)等で拭き取られる。その後、上記の接着剤(６)が固化すると、この接着剤(６)により上記の宝石類(５)がスカルプチュアネイル(３)に確りと固定された図１に示す状態となる。
【００３４】
上記の宝石類は、指先を華やかに飾ることができるが、スカルプチュアネイル(３)の下方の自爪(２)が成長していくので、例えば１週間程度など所定の期間が経過すると、このスカルプチュアネイル(３)を自爪(２)から取り外す必要を生じる。この場合、上記の宝石類(５)は、これを回収して再度人工爪に装着することも可能であるが、特に、サイズが大きいものは指輪やピアス、イヤリング、ペンダント、ネックレス、ブローチ、ブレスレット、タイピン、カフスなど、他のアクセサリーに容易に再利用することができる。
【００３５】
例えば複数の宝石類(５)からなる宝石類群を１組として、この宝石類群に平面視で直径が２ｍｍ以上、好ましくは２.５ｍｍ以上の宝石類(５)を４個以上含ませて、これらの各宝石類(５)を複数のスカルプチュアネイル(３)に分散して取り付け、所定の期日が経過したのちこれらの宝石類(５)を各スカルプチュアネイル(３)から取り外して回収し、それぞれの宝石類(５)をアクセサリーに再加工すると、特に、ブライダルなどにおいて指先を上記の宝石類(５)で華やかに飾ることができるうえ、その宝石類(５)が大きいのでアクセサリーとして容易に再利用することができ、好ましい。
【００３６】
図４は本発明の第２実施形態を示す、宝石類を取り付けた人工爪の断面図である。
この第２実施形態で用いる宝石類(５)は、いわゆるローズカットに加工されて、上記の第１実施形態と同様、下端が最も大きい外径を有する底面に形成されており、下端寄り周面に溝状の係止用凹部(７)が形成してある。
【００３７】
上記の宝石類(５)が装着される装着部位(４)は、スカルプチュアネイル(３)の表面を平面状に研削して粗面化してあるが、この装着部位(４)の周縁部は深さがほとんどなく、ごく浅い形状に形成されている。その他の構成は上記の第１実施形態と同様であり、同様に作用するので説明を省略する。
【００３８】
上記の各実施形態では、接着剤を用いて上記の宝石類を上記の人工爪に固定した。しかし本発明では、接着剤を用いることなく、溶剤により軟化・溶解させた装着部位の表面を介して、上記の宝石類をこの人工爪に固定してもよい。
例えば図５に示す第３実施形態では、上記の第１実施形態と同様、スカルプチュアネイル(３)の表面に装着部位(４)が形成してあり、第１実施形態で用いたものと同形状の宝石類(５)がこの装着部位(４)に固定してある。しかしこの第３実施形態では、上記の第１実施形態と異なって接着剤を使用しておらず、この装着部位(４)の表面に溶剤(８)が塗布されて、その表面が軟化若しくは溶解されたのち固化されており、この軟化・溶解した表面を介して上記の宝石類(５)がその装着部位(４)に固定してある。
【００３９】
図６に示すように、上記の宝石類(５)は次の手順でスカルプチュアネイル(３)の表面に固定される。
図６(ａ)に示す溶剤塗布工程(S3)で、装着部位(４)の表面にアセトンやクロロホルムなどの溶剤(８)を塗布して装着部位(４)の表面を軟化若しくは溶解させ、不要な部分を穿って装着用凹部を形成する。なおこの凹部は、上記の第１実施形態で用いた工具等で形成してもよい。次いで、その溶剤(８)が揮発して装着部位(４)が固化する前に、図６(ｂ)に示す固着工程(S5)で、図示しないストーンキャッチャーなどにより上記の宝石類(５)を装着部位(４)に取り付け、確りと固定されるように押圧する。これにより、上記の軟化・溶解した装着部位(４)の表面が宝石類(５)の最大外径部の外周部を包み込み、その一部が宝石類(５)の表面に形成された係止用凹部(７)内へ入り込む。その後、上記の溶剤(８)が揮発して上記の装着部位(４)が固化すると、上記の宝石類(５)がスカルプチュアネイル(３)に確りと固定された図５に示す状態となる。
【００４０】
上記の各実施形態では、宝石類の下端が最も大きい外径を有する底面に形成されている場合について説明した。しかし本発明では、例えば図７に示す第４実施形態のように、宝石類(５)の最大外径部と下端との間に、宝石類(５)の全高の１/２程度以内の高さがあってもよい。即ちこの第４実施形態では、いわゆるダブルローズカットに加工された宝石類(５)が用いてあり、この宝石類(５)の最大外径部と下端との間の寸法は全高の１/２の高さに設定してある。またこの最大外径部と下端との間の寸法は、平面視での直径の半分よりも短い寸法に設定されており、例えば直径が４ｍｍ程度の宝石類(５)であっても、最大外径部と下端との間の寸法は１ｍｍ程度以内に設定してある。
【００４１】
図７に示すように、指先(１)の自爪(２)の表面に形成されたスカルプチュアネイル(３)には、所定の装着部位(４)に、上記の宝石類(５)の下端面に沿った凹部が形成してある。そして、この装着部位(４)の表面に溶剤(８)が塗布され、軟化した表面に接着剤(６)を介して上記の宝石類(５)が固定してある。なお、この宝石類(５)の表面には、上記の各実施形態と異なって、係止用凹部が形成されていないが、本発明ではこの宝石類(５)にも係止用凹部を形成してもよい。その他の構成は上記の第１実施形態と同様であり、同様に作用するので説明を省略する。
【００４２】
上記の実施形態で説明した人工爪への宝石類の取付方法や、宝石類を取り付けた人工爪は、本発明の技術的思想を具体化するために例示したものであり、使用する宝石類の種類やカット、大きさ、各部の材質や形状、寸法、作業工程の順番などをこの実施形態のものに限定するものではなく、本発明の特許請求の範囲内において種々の変更を加え得るものである。
【００４３】
例えば、上記の第１実施形態では、接着剤を装着部位に塗布した。しかし本発明では、この接着剤を宝石類の下部に塗布したのち、この宝石類を装着部位へ押圧してもよく、或いは装着部位と宝石類の下部の両者に接着剤を塗布したのち、この宝石類を装着部位へ押圧してもよい。また上記の第１実施形態では溶剤塗布工程と接着剤塗布工程とを施し、上記の第３実施形態では接着剤塗布工程を省略して溶剤塗布工程のみを施した。しかし本発明では上記の宝石類を装着部位へ確りと固定できればよく、例えば接着剤により宝石類を充分に確りと固定できる場合は、上記の溶剤塗布工程を省略して接着剤塗布工程のみを施してもよい。さらに上記の第１実施形態では、宝石類の下面と装着部位との間に反射部材からなる着色部材を配置したが、本発明では着色部材と反射部材とのいずれか一方を配置してもよく、あるいはこれらを省略したものであってもよい。
【００４４】
また上記の宝石類は、例えばダイヤモンドであるとその輝きや煌めきにより人工爪を華やかにできるので好ましいが、他の宝石類であってもよく、そのサイズやカットなどは、上記の実施形態のものに限定されないことは、言うまでもない。
【産業上の利用可能性】
【００４５】
本発明の人工爪への宝石類の取付方法および宝石類を取り付けた人工爪は、平面視の大きな宝石類であっても安全に且つ確りと取り付けることができるので、例えばブライダルなどの際に指先を飾る人工爪として特に好適であるが、その他の機会や日常においても指先を飾る人工爪として好適である。
【符号の説明】
【００４６】
３…人工爪(スカルプチュアネイル)
４…装着部位
５…宝石類
６…接着剤
７…係止用凹部
８…溶剤
９…着色部材(着色シート)
10…反射部材
【図１】
2011130931.tif 000003
【図２】
2011130931.tif 000004
【図３】
2011130931.tif 000005
【図４】
2011130931.tif 000006
【図５】
2011130931.tif 000007
【図６】
2011130931.tif 000008
【図７】
2011130931.tif 000009